(57)【要約】【課題】  閉じた時、扉が本体にぶつかることを防止可能なキャビネットの蝶番構造を提供する。【解決手段】  蝶番１は二つの固定ユニット１１、固定ユニット１２を備える。固定ユニット１２には調整穴１２１が設けられ、ミニ油圧体１３をはめ込んだ後、ユニットキャップ１４の両側にあるはめ込みウィング１４１の穴１４２に、二本のボルト１５を挿入して、調整穴１２１の中に固定される。ミニ油圧体１３の作動ロッド１３１とユニットキャップ１４の一端は、それぞれアーム１６、アーム１７にはめ込まれ、この二つのアーム１６、アーム１７のもう一方の端は、キャビネットＡの固定ユニット１１の中にはめ込まれる。アーム１７内には、スプリング１８があって動作を補助する。扉を開け閉めする際に、ミニ油圧体１３の緩衝作用によって、段階のないスムーズな連続動作を有する。したがって、ぶつかった時に発生する音が生じず、同時に保護する効果もある。【選択図】    図３
0003106617.tif 000002
【実用新案登録請求の範囲】
【請求項１】
キャビネット本体と扉の間に蝶番を取り付けることで構成され、
蝶番の二つの固定ユニットは、それぞれキャビネット及び扉の対応する位置に固定され、扉の固定ユニットには調整穴が設けられ、調整穴にはミニ油圧体がはめ込まれ、ミニ油圧体の外側にあるユニットキャップの両側にあるはめ込みウィングの穴によって、二本のボルトが挿入され、固定ユニットの調整穴の中に固定され、ミニ油圧体の作動ロッドとユニットキャップの一端は、それぞれアームにはめ込まれ、二つのアームのもう一方の端は、キャビネットの固定ユニットの中にはめ込まれ、アーム内には、動作を補助するスプリングが設けられており、
扉が閉じられる時、外的な力が扉に加えられると、ミニ油圧体の緩衝作用によって、ゆっくりと、段階なしの連続動作によって、キャビネット本体に向かって移動し、衝突時の音の発生を緩和するとともに、キャビネット本体と扉とが接触する箇所の損傷を低減することを特徴とするキャビネットの蝶番構造。
【請求項２】
キャビネット本体のアームは必要に応じて長さが変更可能であり、扉がキャビネット本体と接触する位置を変更可能であることを特徴とする請求項１記載のキャビネットの蝶番構造。
【請求項３】
ミニ油圧体は気圧式及び内部にスプリングを取り付けることにより、省力操作が可能となることを特徴とする請求項１記載のキャビネットの蝶番構造。
【考案の詳細な説明】
【技術分野】
【０００１】
本考案は、キャビネットの蝶番構造に関する。
【背景技術】
【０００２】
現在、収納用のキャビネットは、キャビネット本体Ａ、扉Ｂ両者の間に、蝶番Ｃが取り付けられて組み合わされることで、開けて物を取り出したり、物を収納したりするのに用いられる。現在、最もよく見られる蝶番Ｃの構造は、キャビネット本体Ａ、扉Ｂにそれぞれ固定ユニットＣ１、固定ユニットＣ２を取り付け、さらに、図１Ａに示すようにアームＣ３及びスプリングＣ４を組み合わせることにより、図１Ｂに示すように扉Ｂを開け閉めする時、アームＣ３及びスプリングＣ４が連結することによって、動作が完了するようになっている。
【考案の開示】
【考案が解決しようとする課題】
【０００３】
しかしながら、このタイプのアームＣ３及びスプリングＣ４が動作する時、最初少し「重い感じ」がして、やや力を入れないと動かない。これは、アームＣ３が徐々にスプリングを引っ張ることによるものである。そして、半分あたりまで来た時、力を抜くと「すばやく」全開あるいは閉じた状態の位置に達する。これは、アームＣ３がすでにスプリングＣ４を最大の状態にまで引っ張ったからであり、その後、スプリングＣ４は反対方向に収縮し始める。このため、扉Ｂは自動的に動作し、扉Ｂがキャビネット本体Ａに接触した時、大きなぶつかり音が生じ、使用者を驚かせることになる。この時、もしそばに乳幼児がいたら、おそらく音に驚いて泣き出す可能性がある。このように、長時間絶え間なくぶつかる状態が生じると、扉ＢとキャビネットＡが接触する箇所は損傷することも考えられる。また、急に閉まったら、小さい子供が手をはさむことも考えられ、極めて危険である。
【０００４】
したがって本考案の目的は、閉じた時、扉が本体にぶつかることを防止可能なキャビネットの蝶番構造を提供することにある。
【課題を解決するための手段】
【０００５】
上述の目的を達成するために本考案の請求項に記載のキャビネットの蝶番構造は、キャビネット本体と扉の間に蝶番を取り付けることで構成される。蝶番の二つの固定ユニットは、それぞれキャビネット及び扉の対応する位置に固定される。扉の固定ユニットには調整穴が設けられ、ミニ油圧体をはめ込んだ後、ミニ油圧体の外側にあるユニットキャップの両側にあるはめ込みウィングの穴によって、二本のボルトを挿入して、固定ユニットの調整穴の中に固定され、必要に応じ、移動、調整する。ミニ油圧体の作動ロッドとユニットキャップの一端は、さらに、それぞれアームにはめ込まれ、二つのアームのもう一方の端は、キャビネットの固定ユニットの中にはめ込まれる。アーム内には、スプリングが設けられ動作を補助する。
【０００６】
扉が閉じられる時、外的な力が扉に加えられると、ミニ油圧体の緩衝作用によって、ゆっくりと、段階なしの連続動作によって、キャビネット本体に向かって移動し、ぶつかった時に音が発生するのを防ぎ、同時に、キャビネット本体と扉が接触する箇所が損傷するのも防ぐ。
【考案を実施するための最良の形態】
【０００７】
以下、本考案の実施例を図面に基づいて説明する。
図２、図３に示すように、本考案の実施例によるキャビネットの蝶番構造は、キャビネット本体Ａと扉Ｂの間に蝶番１を取り付けることで構成される。この蝶番１の二つの固定ユニット１１、固定ユニット１２は、それぞれキャビネットＡ及び扉Ｂの対応する位置に固定されている。扉Ｂの固定ユニット１２には調整穴１２１が設けられ、ミニ油圧体１３をはめ込んだ後、ミニ油圧体１３の外側にあるユニットキャップ１４の両側にあるはめ込みウィング１４１の穴１４２によって、二本のボルト１５を挿入して、固定ユニット１２の調整穴１２１の中に固定される。そして、図４Ａ、図４Ｂに示すように必要に応じて、移動、調整する。ミニ油圧体１３の作動ロッド１３１とユニットキャップ１４の一端は、さらに、それぞれアーム１６、１７にはめ込まれ、この二つのアーム１６、１７のもう一方の端は、キャビネットＡの固定ユニット１１の中にはめ込まれる。アーム１７内には、スプリング１８があって動作を補助する。
【０００８】
このように、扉Ｂが閉じられる時、外的な力が扉Ｂに加えられると、ミニ油圧体１３の緩衝作用によって、ゆっくりと、段階なしの連続動作によって、キャビネット本体Ａに向かって移動する。つまり、ミニ油圧体１３の作動ロッド１３１は扉Ｂが全開の時、特に動作はない。つまり、図５Ａに示すようにミニ油圧体１３内に収まったままである。扉Ｂに、手で開くという外的な力が加えられると、キャビネット本体Ａに向かい始める時、図５Ｂに示すようにミニ油圧体１３の作動ロッド１３１が軸回転する関係で、ミニ油圧体１３の作動ロッド１３１も引っ張られ始める。そして、図５Ｃに示すようにミニ油圧体１３の緩衝作用によって、段階なしに、ゆっくりとキャビネット本体Ａに向かって移動する。最後に、図５Ｄに示すように音もなく静かにキャビネットＡに当たる。このようにして、従来の操作時に大きなぶつかり音が発生するのを解決している。同時に、キャビネット本体Ａと扉Ｂが接触する箇所が損傷するのも防いでいる。
【０００９】
さらに、キャビネット本体Ａの、アーム１７は必要に応じて長さが変えられるため、扉Ｂがキャビネット本体Ａと接触する位置も変化させることが可能である。
また、ミニ油圧体１３は気圧式及び内部にスプリングを取り付けることで、さらに、省力操作が可能である。
【００１０】
本実施例によるキャビネットの蝶番構造は、キャビネット本体と扉の間に蝶番を取り付けることによって構成される。蝶番の二つの固定ユニットにはそれぞれアームがあって、ミニ油圧体と互いに連結することにより、扉を開け閉めする際に、ミニ油圧体の緩衝作用によって、段階のないスムーズな連続動作を有する。したがって、ぶつかった時に発生する音が生じず、同時に保護する効果もある。
【００１１】
また、本実施例によるキャビネットの蝶番構造は、取り付けるキャビネットの位置によって、アームの長さを変えることが可能であるため、扉とキャビネット本体が接触する位置を変化することが可能である。
さらに、本実施例によるキャビネットの蝶番構造は、ミニ油圧体の内部にスプリングが設けられているため、省力操作が可能である。
【図面の簡単な説明】
【００１２】
【図１Ａ】従来の蝶番構造及び開いた時の状態を示す見取り図である。
【図１Ｂ】従来の蝶番構造の閉じた時の状態を示す見取り図である。
【図２】本考案の実施例によるキャビネットの蝶番構造の取り付け位置を示す図である。
【図３】本考案の実施例によるキャビネットの蝶番構造を示す立体分解図である。
【図４Ａ】本考案の実施例によるキャビネットの蝶番構造を取り付けた状態を示す図である。
【図４Ｂ】本考案の実施例によるキャビネットの蝶番構造を取り付け位置を移動して調整した状態を示す図である。
【図５Ａ】本考案の実施例によるキャビネットの蝶番構造の全開状態時を示す図である。
【図５Ｂ】本考案の実施例によるキャビネットの蝶番構造の閉じ始め状態を示す図である。
【図５Ｃ】本考案の実施例によるキャビネットの蝶番構造の徐々に閉じた状態を示す図である。
【図５Ｄ】本考案の実施例によるキャビネットの蝶番構造を閉じた状態を示す図である。
【符号の説明】
【００１３】
１  蝶番、１１  固定ユニット、１２  固定ユニット、１３  ミニ油圧体、１４  ユニットキャップ、１５  ボルト、１６  アーム、１７  アーム、１８  スプリング、１２１  調整穴、１３１  作動ロッド、１４１  はめ込みウィング、１４２  穴、Ａ  キャビネット本体、Ｂ  扉、Ｃ  蝶番、Ｃ１  固定ユニット、Ｃ２  蝶番、Ｃ３  アーム、Ｃ４  スプリング
【図１Ａ】
0003106617.tif 000003
【図１Ｂ】
0003106617.tif 000004
【図２】
0003106617.tif 000005
【図３】
0003106617.tif 000006
【図４Ａ】
0003106617.tif 000007
【図４Ｂ】
0003106617.tif 000008
【図５Ａ】
0003106617.tif 000009
【図５Ｂ】
0003106617.tif 000010
【図５Ｃ】
0003106617.tif 000011
【図５Ｄ】
0003106617.tif 000012